(57)【要約】【課題】  広告を行いたい顧客に対して広告掲載情報に応じて課金を行い、顧客が課金額を支払った場合に、別の顧客のレシートに広告掲載情報を印刷する広告掲載情報の処理方法を提供する。【解決手段】  入力端末から広告情報の入力を受け付けるステップと、前記広告情報をサーバーに送信するステップと、ＩＤを含む仮登録を印刷するステップと、前記ＩＤを前記仮登録から読み取るステップと、前記ＩＤを前記サーバーにて確認するステップと、課金料金を計算するステップと、前記計算した課金料金を表示するステップと、課金入金を確認するステップと、本登録をサーバーに行うステップとを含む広告掲載情報の処理方法。【選択図】図６
2005108252.tif 000002
【特許請求の範囲】
【請求項１】
（ａ）入力端末から広告情報の入力を受け付けるステップと、
（ｂ）前記広告情報をサーバーに送信するステップと、
（ｃ）ＩＤを含む仮登録を印刷するステップと、
（ｄ）前記ＩＤを前記仮登録から読み取るステップと、
（ｅ）前記ＩＤを前記サーバーにて確認するステップと、
（ｆ）課金料金を計算するステップと、
（ｇ）前記計算した課金料金を表示するステップと、
（ｈ）課金入金を確認するステップと、
（ｉ）本登録をサーバーに行うステップと
を含むことを特徴とする広告掲載情報の処理方法。
【請求項２】
以下のステップを更に備えることを特徴とする請求項１に記載の広告掲載情報の処理方法。
（ｊ）顧客データの入力を受け付けるステップ
（ｋ）サーバーに前記顧客データを送信するステップ
（ｌ）前記サーバーにて特定の顧客の情報を検索するステップ
（ｍ）前記サーバーから印刷すべき情報を受け取るステップ
（ｎ）前記印刷すべき情報をレシートに印刷するステップ
【請求項３】
入力装置、印刷装置、表示装置、記憶装置を有するＰＯＳシステムを使用した、以下のステップを備えることを特徴とする広告掲載情報の処理方法。
（ａ）前記入力装置から広告掲載情報の入力を受け付ける広告掲載情報入力受付ステップ
（ｂ）入力を受け付けられた前記広告掲載情報の登録番号を印刷した登録カードを前記印刷装置により作成する登録カード作成ステップ
（ｃ）入力を受け付けられた前記広告掲載情報を仮登録のために前記記憶装置に一時的に記憶する広告掲載情報仮登録ステップ
（ｄ）前記入力装置により前記登録カードに印刷された登録番号を読取る登録番号読取りステップ
（ｅ）読み取られた前記登録番号を確認し、該登録番号に対応した課金額を取得する課金額取得ステップ
（ｆ）取得された前記課金額を前記表示装置に表示する課金額表示ステップ
（ｇ）前記課金額の入金の完了を確認する入金確認ステップ
（ｈ）前記課金額の入金の完了が確認されると、仮登録のために前記記憶装置に一時的に記憶されていた広告掲載情報を本登録のために随時読み出し可能に前記記憶装置に記憶する広告掲載情報本登録ステップ
（ｉ）記憶された前記広告掲載情報を前記印刷装置に送信する広告掲載情報送信ステップ
【請求項４】
以下のステップを更に備えることを特徴とする請求項３に記載の広告掲載情報の処理方法。
（ｊ）前記入力装置から顧客データの入力を受け付ける顧客データ入力受付ステップ
（ｋ）入力を受け付けられた前記顧客データに基づいて前記記憶装置に随時読取り可能に記憶された広告掲載情報の中から該当する広告掲載情報を検索する広告掲載情報検索ステップ
（ｌ）検索された前記広告掲載情報を前記印刷装置によりレシートに印刷する広告掲載情報印刷ステップ
【発明の詳細な説明】
【技術分野】
【０００１】
本発明は、広告掲載情報の処理方法に関する。特に、広告を行いたい顧客に対して広告掲載情報に応じて課金を行い、顧客が課金額を支払った場合に、別の顧客に対するレシートに広告掲載情報を印刷する広告掲載情報の処理方法に関する。
【背景技術】
【０００２】
従来から、コンビニエンスストアやスーパーマーケットにおいて、顧客の会計情報をレシートとして印刷するためのＰＯＳ（Point  Of  Sale）システムが普及している。このようなＰＯＳシステムでは、オペレータがハンドスキャナなどのバーコードリーダを用いて商品に貼付された商品ラベルのバーコードを読み取る。読み取ったバーコードに含まれる商品の識別情報に基いて別途記憶装置に記憶された商品の値段を取得し会計計算を行う。最後に、会計計算情報をレシートとして印刷する。またこの際に、オペレータが顧客の年齢や性別、職業などの情報を入力することにより、流行等を把握し、商品の仕入計画に役立てている。
【０００３】
一方、コンビニエンスストア等では、コンサートなどのチケット、コンパクトディスクなどの商品の予約や注文を行うため、タッチパネルが付いた液晶画面により顧客が情報を入力する情報入力端末も普及している。顧客は、情報入力端末から所望の商品やチケットを選択し、情報入力端末が印刷する控えを受け取る。この控えにはバーコードが印刷されており、ＰＯＳシステムで当該バーコードを読み取ることによって、商品やチケットの会計処理を行っている。
【０００４】
このほか、コンビニエンスストア等では、商品の仕入計画を立てるため、その地域で開催される運動会、バザーなどの各種イベントの情報を独自に入手している。
【０００５】
また、日刊工業新聞平成１１年（１９９９年）１月２６日号第３９面に報道された通り、インターネットやさまざまな商用情報提供サービスから得られる情報を顧客の好みに合わせてレシートに印刷するＰＯＳシステムも提案されている。このようなシステムでは、情報は無料で提供されるか、あるいは、提供を受ける顧客が情報取得料金を支払う形態をとっている。
【０００６】
また、このような情報をキャッシュレジスタに備えられたカスタマディスプレイに表示するＰＯＳシステムも提案されている。
【発明の開示】
【発明が解決しようとする課題】
【０００７】
しかしながら、このようなＰＯＳシステムを利用して広告を行いたい場合には、インターネットやさまざまな商用情報提供サービスに複雑な手順を踏んで広告を出す旨の登録を行わなければならなかった。このため、たとえば地域住民が特定の地域に対して広告をしたい場合などには、従来のＰＯＳシステムでは適切に対応することができなかった。そして、レシートに印刷される情報は天気予報や今日のニュースなどの画一的な情報だけになり、地域住民の主体的な情報交換には役立っていなかった。
【０００８】
一方、地域住民が主催する各種イベント情報などを、現在普及しているシステムを利用し、地域住民が主体的に参加して広めたいという要望が大きい。
【０００９】
また、コンビニエンスストア等は広く地域住民に利用される場の一つであり、情報提供の場としてコンビニエンスストア等を利用したいという要望も大きい。
【００１０】
また、このような各種イベント情報が地域住民によりコンビニエンスストア等に提供されれば、商品の仕入計画などにも役立つ。
【００１１】
さらに、公共性の高い学校行事などは広告掲載料を無料とし、家庭教師や講習会などの営利目的がある場合には広告掲載料を有料とするなど、広告の種類によって課金額を変更できるようなシステムが望まれている。
【００１２】
本発明は、以上のような問題を解決するためになされたもので、広告を行いたい顧客に対して広告掲載情報に応じて課金を行い、顧客が課金額を支払った場合に、別の顧客のレシートに広告掲載情報を印刷する広告掲載情報の処理方法を提供することを目的とする。
【課題を解決するための手段】
【００１３】
以上の目的を達成するため、本発明の原理にしたがって、下記の発明を開示する。
本発明の広告掲載情報の処理方法は、以下のステップを備える。
入力端末から広告情報の入力を受け付けるステップと、
前記広告情報をサーバーに送信するステップと、
ＩＤを含む仮登録を印刷するステップと、
前記ＩＤを前記仮登録から読み取るステップと、
前記ＩＤを前記サーバーにて確認するステップと、
課金料金を計算するステップと、
前記計算した課金料金を表示するステップと、
課金入金を確認するステップと、本登録をサーバーに行うステップ。
【００１４】
また、本発明の広告掲載情報の処理方法は、以下のステップを更に備えることができる。
顧客データの入力を受け付けるステップと、
サーバーに前記顧客データを送信するステップと、
前記サーバーにて特定の顧客の情報を検索するステップと、
前記サーバーから印刷すべき情報を受け取るステップと、
前記印刷すべき情報をレシートに印刷するステップ。
【００１５】
本発明の広告掲載情報の処理方法は、以下のステップを備える。
入力装置から広告掲載情報の入力を受け付ける広告掲載情報入力受付ステップ
入力を受け付けられた前記広告掲載情報の登録番号を印刷した登録カードを印刷装置により作成する登録カード作成ステップ
入力を受け付けられた前記広告掲載情報を仮登録のために記憶装置に一時的に記憶する広告掲載情報仮登録ステップ
入力装置により前記登録カードに印刷された登録番号を読取る登録番号読取りステップ
読み取られた前記登録番号を確認し、該登録番号に対応した課金額を取得する課金額取得ステップ
取得された前記課金額を表示装置に表示する課金額表示ステップ
前記課金額の入金の完了を確認する入金確認ステップ
前記課金額の入金の完了が確認されると、仮登録のために記憶装置に一時的に記憶されていた広告掲載情報を本登録のために随時読み出し可能に前記記憶装置に記憶する広告掲載情報本登録ステップ
【００１６】
また、本発明の広告掲載情報の処理方法は、以下のステップを更に備えることができる。
入力装置から顧客データの入力を受け付ける顧客データ入力受付ステップ
入力を受け付けられた前記顧客データに基づいて記憶装置に随時読取り可能に記憶された広告掲載情報の中から該当する広告掲載情報を検索する広告掲載情報検索ステップ
検索された前記広告掲載情報を印刷装置によりレシートに印刷する印刷ステップ
【発明の効果】
【００１７】
以上説明したように、本発明によれば、以下の効果を奏する。
【００１８】
まず、広告を行いたい顧客に対して広告掲載情報に応じて課金を行い、顧客が課金額を支払った場合に、別の顧客に対するレシートに広告掲載情報を印刷する広告掲載情報の処理方法を提供することができる。
【００１９】
また、広告掲載情報の提供が顧客にとって容易な広告掲載情報の処理方法を提供することができる。
【００２０】
また、顧客の年齢層、性別、職業などに応じて、提供すべき広告掲載情報を適切に選択することができる広告掲載情報の処理方法を提供することができる。
【発明を実施するための最良の形態】
【００２１】
以下に本発明の一実施形態を説明する。なお、以下に説明する実施形態は説明のためのものであり、本発明の範囲を制限するものではない。したがって、当業者であればこれらの各要素又は全要素をこれと均等なものに置換した実施形態を採用することが可能であり、これらの実施形態も本発明の範囲に含まれる。
【００２２】
（ＰＯＳシステムの全体構成）
図１に、本発明が適用されるＰＯＳシステムの一実施形態のブロック構成図を示す。
ＰＯＳシステム１０１は、情報入力端末１１１と、サーバ１２１と、キャッシュレジスタ１３１とを備える。キャッシュレジスタ１３１は、入力装置として、キーボード、バーコードリーダ、表示装置として、液晶ディスプレイ、カスタマーディスプレイ、印刷装置として、レシートプリンタ等を有し、情報入力端末１１１は、表示装置として、液晶ディスプレイ１１３、入力装置として、タッチパネル１１４、フロッピードライブ１１７、イメージスキャナー（図示せず）、印刷装置として、プリンタ１１６を有している。プリンタ１１６は、多色の印刷が可能なインクジェットプリンタが用いられる。
【００２３】
情報を提供する顧客（広告主となる顧客）は、情報入力端末１１１からレシートに印刷して欲しい広告掲載情報を入力する。その際に、レシートを受け取る人（広告を受ける顧客）の性別、年齢層、職業などの種別を広告対象条件（特定条件）として選択して入力することができる。
サーバ１２１は、情報入力端末１１１から入力された広告掲載情報と、この広告掲載情報に対応する特定条件とを記憶する。また、商品データベースを用意して各種商品の価格の検索や在庫管理などの機能を果たすこともできる。
【００２４】
キャッシュレジスタ１３１では、広告を受ける顧客が購入する商品の会計情報の入力が行われる。オペレータは広告を受ける顧客の年齢層、性別、職業などの情報をキャッシュレジスタ１３１で入力するとともに、商品に添付されたバーコードをバーコードリーダ１３１ｂで読み取り、商品の個数をキーボードなどから入力する。
【００２５】
キャッシュレジスタ１３１では、バーコードリーダ１３１ｂで読み取られた商品の識別情報や個数などの会計情報に基いて、会計計算が行われる。会計計算は、キャッシュレジスタ１３１で行うこともできるし、サーバ１２１で行うこともできる。また、商品の識別情報から当該商品の価格を調べるために、サーバ１２１に記憶された商品データベースを利用することができる。
このように、本発明では、情報入力端末１１１を用いて地域住民（広告主となる顧客）の主体的な広告掲載情報の提供を受けることができ、広告掲載情報を特定条件に合わせて顧客（広告を受ける顧客）のレシートに印刷して提示することができるため、地域社会の情報交換に役立つことができる。
【００２６】
（情報入力端末の構成）
図２には、図１に示すＰＯＳシステムの情報入力端末１１１のブロック構成図を示す。
【００２７】
情報入力端末１１１の各部は、ＣＰＵ１１２によって制御される。液晶ディスプレイ１１３には情報入力用のボタンや五十音表などが表示され、広告主となる顧客は液晶ディスプレイ１１３の表面に設けられたタッチパネル１１４に触れることにより、表示されたボタンや五十音表から所望のものを選択し、広告掲載情報を入力することができる。又、手書き文字認識領域をタッチパネル上に設置し、これを認識する文字認識プログラムを情報入力端末に組み込むことによって直接、ひらがな、あるいは漢字を入力する事も可能である。
【００２８】
また、ここで表示されるボタンに、あらかじめどのような客層に広告掲載情報を提供したいかの特定条件（年齢層、性別、職業など）、広告掲載情報の種類（運動会、バザー、発表会など）、広告掲載情報の有効期限（開催日など）を入力できるように用意しておくことができる。これにより、広告主となる顧客による入力が容易になるとともに、コンビニエンスストアの商品仕入情報にこれらの情報を生かすこともできる。
【００２９】
また情報入力端末１１１には、イメージスキャナ１１５が備えられている。広告主となる顧客は、レシートに印刷したい図案等をあらかじめ用意し、これをスキャナ１１５で読み取って広告掲載情報とすることができる。更に、情報入力端末１１１には、フロッピードライブ１１７が備えられ、情報掲載希望者が自宅で作成したイメージファイル（たとえばＪＰＥＧ、ＧＩＦ、ＴＩＦ形式のファイル）をイメージデータとして読み込むことができるように構成されている。又、プリンタ１１６では、広告しようとして入力された広告掲載情報を確認のために印刷出力することができるように構成されている。
【００３０】
また、情報入力端末１１１では、掲載情報の入力だけではなく、コンサートのチケットやコンパクトディスクなどの商品の予約や注文を行うことができる。顧客は、ディスプレイ１１３の表示にしたがい、タッチパネル１１４を操作して、所望の商品を選択する。選択が完了すると、プリンタ１１６がレシートを印刷する。
【００３１】
顧客は、プリンタ１１６が印刷した控えをキャッシュレジスタ１３１に持っていき、オペレータは、この控えに印刷されたバーコードを読み取ることにより、コンサートのチケットやコンパクトディスクなどの商品の会計を行うことができる。
【００３２】
入力された広告掲載情報は、インターフェース１１８を介してサーバに送信される。
【００３３】
ここで、情報入力端末１１１は掲載情報入力制御手段として機能し、又、情報入力端末１１１に備えられたスキャナ１１５、あるいはフロッピードライブ１１７と共に、画像入力制御手段として機能する。
【００３４】
（サーバの構成）
図３には、図１に示すＰＯＳシステムのサーバ１２１のブロック構成図を示す。
【００３５】
サーバ１２１の各部は、ＣＰＵ１２２によって制御される。サーバ１２１は、入力端末側インターフェース１２３を介して情報入力端末１１１と通信し、キャッシュレジスタ側インターフェース１２４を介してキャッシュレジスタ１３１と通信する。
【００３６】
サーバ１２１は、情報入力端末１１１で入力された広告掲載情報と特定条件を入力端末側インターフェース１２３を介して受信し、これらをハードディスク、ＤＶＤ、ＭＴなどの不揮発性記憶装置１２５に記憶する。
【００３７】
不揮発性記憶装置１２５には、商品データベースを記憶することもできる。この場合、ＣＰＵ１２２は、キャッシュレジスタ１３１から送信された商品の識別番号（ＩＤ）をキャッシュレジスタ側インターフェース１２４を介して受信し、その商品の価格をキャッシュレジスタ側インターフェース１２４を介してキャッシュレジスタ１３１に送信する。
【００３８】
サーバ１２１は、ネットワークインターフェース１２６を介して電話線などを用いたコンピュータ通信網に接続することができ、商品の販売状況を本部に連絡し、仕入計画、商品価格の更新情報のほか、顧客に依らない掲載情報を得ることができる。
【００３９】
また、入力された広告掲載情報を調べ、当該地域で開催される各種イベントの種類や日程をコンピュータ通信網を介して本部に送信することにより、当該店舗に対する商品の納入計画を適切なものに変更することができる。
【００４０】
ここで、サーバ１２１はＰＯＳシステムの中央制御装置として機能する。
【００４１】
（キャッシュレジスタの構成）
図４には、図１に示すＰＯＳシステムのキャッシュレジスタ１３１のブロック構成図を示す。
【００４２】
キャッシュレジスタ１３１の各部はＣＰＵ１３２によって制御される。オペレータはハンドスキャナなどのバーコードリーダ１３３や、キーボード１３４を用いて商品に付されたバーコードを読み取り、あるいは商品識別情報を入力する。また、キーボード１３４を用いて、現在会計を行っている顧客の年齢層、性別、職業などの情報を入力する。
【００４３】
入力された商品識別情報から商品の値段を検索して、会計情報としてこれを用いる。検索の際には、サーバ１２１に記憶された商品データベースを用いることができる。キャッシュレジスタ１３１はインターフェース１３５を介してサーバ１２１と通信する。
【００４４】
キャッシュレジスタ１３１は、バーコードを読み取った商品の名称やその商品の値段、会計の合計金額などをカスタマディスプレイ１３６に表示する。これにより、顧客の確認を促すことができる。
【００４５】
このほか、キャッシュレジスタ１３１は、銭箱１３７や、クレジットカード、プリペイドカード用のカード読取装置１３８を備えることができる。これにより会計を実行することができる。
【００４６】
商品の名称、値段、個数、合計額、釣銭の金額などの会計情報は、プリンタ１３９によりレシートとして印刷される。プリンタ１３９は、多色印刷が可能な高速のインクジェットプリンタが用いられる。
【００４７】
ここで、キーボード１３４により入力された広告を受ける顧客の年齢層、性別、職業などの情報は、インターフェース１３５を介してサーバ１２１に送信される。
【００４８】
サーバ１２１のＣＰＵ１２２（図２）は、受信した広告を受ける顧客の年齢層、性別、職業などの情報と、不揮発性記憶装置１２５に記憶された特定条件とを対比し、特定条件のうち、満たされるものを選択する。さらに、満たされた特定条件に対応する広告掲載情報を不揮発性記憶装置１２５から取得し、この掲載情報をキャッシュレジスタ１３１に送信する。複数の特定条件が満たされる場合には、いずれか一つの広告掲載情報を選択する。
【００４９】
キャッシュレジスタ１３１では、受信した広告掲載情報を、会計情報と合成して１枚のレシートに印刷する。
【００５０】
ここで、キャッシュレジスタ１３１は会計情報入力制御手段、印刷制御手段として機能し、サーバ１２１と共働して掲載情報取得手段として機能する。また印刷手段として機能する際に、サーバ１２１が記憶する商品データベースを利用して会計情報を合成することができる。
【００５１】
（広告掲載情報の仮登録処理）
図５は、本発明のＰＯＳシステムの機能ブロック図である。
【００５２】
掲載情報入力制御手段２０１は、テキストデータを入力する入力装置１１４からの入力を受け付け、情報入力端末内の所定のメモリに入力し、一時的に保存する制御を実行する。又、この制御手段には、広告掲載情報の印刷出力の大きさを指定するためのサイズ入力制御手段２０２が接続されている。一方、イメージを入力するための入力装置であるイメージスキャナー１１５には、画像入力制御手段２０３が接続され、同様にサイズ入力制御手段２０２に接続されている。入力された広告掲載情報は、ＨＴＭＬ形式などのファイルとして一時的に情報入力端末内の記憶装置に保存される。尚、サイズ入力制御手段２０２、イメージ入力制御手段２０３は、掲載情報入力制御手段２０１に含めて構成し、掲載情報制御手段２０１が広告掲載情報および付加情報を入力制御するように構成する事も可能である。
【００５３】
課金額計算手段２０４は、入力された広告掲載情報の印刷出力サイズ情報、あるいは広告掲載期間、出力対象者などの付加情報に基づいて広告掲載のための料金を計算する。この時、情報入力端末装置に備えられたプリンタに、登録番号、請求金額、あるいはこれらをバーコードに変換したコードパターンなどをチケット状の用紙に印刷出力し、登録カードを作成する。更に、テスト印刷を指定するボタンがタッチパネル上に表示されこれをＯＮすることによって、テスト印刷制御手段２１０を作動させ、広告掲載情報が所望の形態で印刷出力されるか確認することができる様に構成することもできる。
【００５４】
ここで、情報入力作業は終了するため、広告掲載情報と、これに付随する広告掲載者情報、広告掲載対象者情報は一旦、サーバ内の記憶装置に仮登録される。
【００５５】
広告掲載希望者は、この登録カードをキャッシュレジスタに持参することによって、キャッシュレジスタでは、登録カードの情報をバーコードリーダで読み込み、料金が支払われると課金額入金確認が実行される。すなわちキャッシュレジスタは、課金額入金（支払）確認手段２０５として機能する。これに接続された、掲載情報記憶制御手段２０６は、この入金情報を受信し、一時的に保存されている広告掲載情報のファイルを、不揮発性記憶装置１２５に、随時読み出し可能に正式に登録する。
【００５６】
一方、通常の顧客が、商品を購入し、キャッシュレジスタで入金をしようとすると、会計情報入力手段２０７により、商品の合計額を計算し、ディスプレイ１３６に表示し、顧客の入金が実行されると、サーバ１２１の印刷データ生成手段２０８により、指定された広告掲載情報のファイルと、会計情報のデータを所定のフォーマットで合成し、印刷データを生成する。この時、印刷データ生成手段２０８は、会計情報入力時に入力された、顧客の年齢、性別などの付加情報を参照し、広告掲載情報を入力するときに指定された顧客かどうか比較し、広告掲載対象者と判定した場合、その広告掲載情報のファイルを、不揮発性記憶装置１２５から読み出し、合成データを生成する。
【００５７】
印刷データは、レシート印刷用のデータとして、キャッシュレジスタ１３１に送信され、印刷制御手段２０９によって、印刷装置１３９から印刷出力される。
【００５８】
図６は、図１に示すＰＯＳシステムにおいて広告掲載情報が記憶装置に仮登録されるまでの処理の流れを示すフローチャートである。
【００５９】
まず、情報入力端末１１１のＣＰＵ１１２は、ディスプレイ１１３に、メインメニューを表示する（ステップＳ５０１）。図７に、このメインメニューの表示例を示す。
【００６０】
メインメニュー６０１には、レシートに印刷する広告掲載情報の入力ボタン６０２、コンサートチケットの予約・発行ボタン６０３、旅行の切符やホテルの予約・発行ボタン６０４、音楽用コンパクトディスクの予約・注文ボタン６０５、ゲームソフトの予約・注文ボタン６０６などが表示されている。
【００６１】
次に、ＣＰＵ１１２は、タッチパネル１１３を監視して、広告主となる顧客がメインメニュー６０１に表示されたいずれのボタンを選択したかを調べる（ステップＳ５０２）。
【００６２】
広告掲載情報入力ボタン６０２以外のボタンが選択された場合（ステップＳ５０２：その他）、対応する処理を実行し（ステップＳ５０３）、ステップＳ５０１に戻る。ステップＳ５０３の処理については、公知の技術を用いることができるため、本発明では説明を省略する。
【００６３】
広告掲載情報入力ボタン６０２が選択された場合（ステップＳ５０２：掲載情報入力）、ＣＰＵ１１２は、広告掲載情報の種類の入力メニューをディスプレイ１１３に表示し、広告掲載情報の種類の入力を受け付ける（ステップＳ５０４）。
【００６４】
図８に、広告掲載情報の種類の入力メニューの表示例を示す。
【００６５】
広告掲載情報の種類の入力メニュー７０１には、学校行事ボタン７０２、バザーボタン７０３、講習会ボタン７０４、その他ボタン７０５などが表示されている。広告主となる顧客が文化祭や運動会などの告知を行う場合には学校行事ボタン７０２を選択し、バザーやフリーマーケットなどの告知を行う場合にはバザーボタン７０３を選択し、生け花、英語、家庭教師などの告知を行う場合には講習会ボタン７０４を選択する。また、これらに該当しないイベントなどの告知を行いたい場合には、その他ボタン７０５を選択する。
【００６６】
ついで、ＣＰＵ１１２は、広告掲載情報の有効期限の入力メニューをディスプレイ１１３に表示し、広告掲載情報の有効期限の入力を受け付ける（ステップＳ５０５）。
図９には、広告掲載情報の有効期限の入力メニューの表示例を示す。広告主となる顧客は、各種イベントの開催日などを入力することができる。
【００６７】
有効期限の入力メニュー８０１には、入力された年月日をそれぞれ表示する年入力部８０２、月入力部８０３、日入力部８０４と、現在入力している場所を示すカーソル８０５と、数字を入力するためのテンキー８０６とが表示されている。
【００６８】
さらに、ＣＰＵ１１２は、広告掲載情報の特定条件の入力メニューをディスプレイ１１３に表示し、広告掲載情報の特定条件の入力を受け付ける（ステップＳ５０６）。
図１０に、広告掲載情報の特定条件の入力メニューの表示例を示す。
【００６９】
特定条件の入力メニュー９０１には、情報を提供したい相手の性別入力ボタン９０２ａ、９０２ｂと、年齢層入力ボタン９０３ａ、９０３ｂ、９０３ｃ、９０３ｄ、９０３ｅ、９０３ｆと、職業入力ボタン９０４ａ、９０４ｂ、９０４ｃとが表示されている。広告主となる顧客は、この中から所望の入力ボタンを選択することにより、特定条件を入力することができる。
【００７０】
ついで、ＣＰＵ１１２は、広告掲載情報の入力メニューをディスプレイ１１３に表示し、広告掲載情報の入力を受け付ける（ステップＳ５０７）。
【００７１】
図１１には、広告掲載情報の入力メニューの表示例を示す。
【００７２】
広告掲載情報の入力メニュー１００１は、入力された広告掲載情報を表示する入力部１００２、現在入力している場所を示すカーソル１００３と、自由に文章を入力するための五十音表１００４とが表示されている。さらに、スキャナ１１５から画像を読み取って、これを広告掲載情報とするためのスキャナボタン１００５も表示されている。広告主となる顧客は、五十音表１００４やスキャナボタン１００５を操作することにより、提供する情報を容易に入力することができる。
【００７３】
又、フォントサイズ指定のボタン１００６によって、好みのフォントサイズを指定することもできる。更に図示されていないが、フォントの種類、ボールド、イタリック等が、部分的あるいは、全体的に指定できる構成とすることも可能である。
【００７４】
さらに、ＣＰＵ１１２は、ステップＳ５０４〜ステップＳ５０７で入力された情報を確認する確認メニューを表示して広告掲載情報の内容の確認を求める（ステップＳ５０８）。
【００７５】
図１２に、確認メニューの表示例を示す。確認メニュー１１０１には、広告掲載情報の種類１１０２、有効期限１１０３、特定条件１１０４、広告掲載情報１１０５と、確認ボタン１１０６とが表示されている。
【００７６】
本実施例では、画像入力をイメージスキャナーを用いて行う方法で、説明しているが、家庭のＰＣで作成した画像ファイルをフロッピーディスクに記録して、この情報入力端末で読み出して、広告掲載情報のデータを作成することもできる。
【００７７】
入力をやり直す場合（ステップＳ５０８：Ｎｏ）、ステップＳ５０４に戻る。入力をやり直す場合は、前回入力した情報を各メニューの既定値として用いると再入力を容易に行うことができる。
【００７８】
また、これらの情報の入力手法については、ここに開示した手順のほか、適宜順序を変更するなどの公知の技術を用いることができ、これらの実施形態も本発明の範囲に含まれる。
【００７９】
確認がされた場合（ステップＳ５０８：Ｙｅｓ）、ＣＰＵ１１２は、仮登録の画面を表示し、最終登録の確認を求める。
図１３は、登録確認メニューの表示例を示している。登録確認メニューでは、プレビュー画面１１５１と、印刷サイズ、あるいは印刷カラーの指定をするボタン１１５２、料金確認の表示画面１１５３等が配置されるとともに、仮登録の最終画面が表示され、仮登録をするＯＫボタン１１６０、取り消し（Ｃａｎｃｅｌ）ボタン１１６１、修正（Ｒｅｖｉｓｅ）ボタン１１６２等が配置されている。プレビュー画面１１５１では、レシートに印刷される画像と同等の画像が、所定の処理によって表示される。
【００８０】
前述のボタンを用いて、サイズ、色の指定がされ（ステップＳ５０９）、広告掲載期間、サイズ等の指定情報に基づいて料金が計算され（ステップＳ５１０）、仮登録するかどうかを問い合わせる（ステップＳ５１１）。
課金額は、たとえばその日から有効期限までの日数に所定の金額を掛け算することにより得ることができる。また、広告掲載情報の種類に応じて学校行事は１００円、講習会の案内は２００円などのように、所定の金額を変更することができる。更に、広告掲載者の年齢によっても変更しても良い。
【００８１】
ここで、仮登録のＯＫボタン１１６０を押されると（ステップＳ５１１：ＹＥＳ）インターフェース１１８を介して入力された広告掲載情報の種類、有効期限、特定条件、広告掲載情報をサーバ１２１に送信する（ステップＳ５０９）。広告掲載情報、付加情報が関連づけられて、サーバ内の記憶装置１２５に一時的に保存される。又、キャンセルボタン１１６１を押すと全ての情報が消去される（ステップＳ５１１：ＮＯ）。更に修正が必要な場合は、コレクトボタン１１６２が押される。この場合、ステップＳ５０４に戻る。
【００８２】
サーバ１２１では、これらの情報を入力端末側インターフェース１２３を介して受信し（ステップＳ５１４）、不揮発性記憶装置１２５に識別番号とともに仮登録して記憶する（ステップＳ５１５）。そして、当該仮登録の識別番号を入力端末側インターフェース１２３を介して送信する（ステップＳ５１６）。
【００８３】
ＣＰＵ１１２は、インターフェース１１８を介して仮登録の識別番号を受信し（ステップＳ５１３）、情報入力端末のプリンタ１１６から、請求書兼登録カードが発行され（ステップＳ５２０）、本処理を終了する。
【００８４】
広告主となる顧客は、自分が指定したフォーマット、例えば、広告のサイズ、色、フォントの種類等を確認することができるように印刷出力する事も可能である。また登録カードには、仮登録の識別番号をあらわすバーコードが印刷される。
【００８５】
以下に説明する課金処理では、このバーコードを読み取って課金を行う。
【００８６】
（課金処理）
図１４は、図１に示すＰＯＳシステムにおいて、課金額の入金確認を行うことにより、仮登録された広告掲載情報を本登録する流れを示すフローチャートである。本処理は、広告主となる顧客がキャッシュレジスタ１３１のオペレータ（店員）にステップＳ５２０において出力された請求書兼登録カードを渡すことによって開始される。
【００８７】
まず、キャッシュレジスタ１３１のＣＰＵ１３２は、仮登録の識別番号の入力をバーコードリーダ１３３から受け付ける（ステップＳ１２０１）。この入力は、オペレータがバーコードリーダにより登録カードに印刷されたバーコードを読み取ることにより行う。
【００８８】
次に、ＣＰＵ１３２は、この仮登録の識別番号をインターフェース１３５を介してサーバ１２１に送信する（ステップＳ１２０２）。
【００８９】
サーバ１２１は、キャッシュレジスタ側インターフェース１２４を介して仮登録の識別番号を受信すると（ステップＳ１２０３）、不揮発性記憶装置１２５の仮登録により記憶された広告掲載情報の種類、有効期限、特定条件、広告掲載情報を、登録カードの内容と照合、確認する（ステップＳ１２０４）。確認処理が終了するとあらかじめ計算された課金額をキャッシュレジスタ１３１へ送信する（ステップＳ１２０５）。
尚、課金額はあらかじめ登録カードにバーコードで出力し、これを用いることも可能である。
【００９０】
キャッシュレジスタ１３１は、インターフェース１３５を介して課金額を受信し（ステップＳ１２０７）、当該課金額をディスプレイ１３６に表示する（ステップＳ１２０８）。
【００９１】
ここで、オペレータは広告主となる顧客から課金額を徴収し、たとえばキーボード１３４の「精算」ボタンを押圧操作することにより、キャッシュレジスタ１３１がその旨を受け付ける（ステップＳ１２０９）。現金による徴収のほか、カード読取装置１３８を使用したクレジットカード、プリペイドカードによる徴収ができる。
【００９２】
さらに、課金額の入金が確認されると、ＣＰＵ１３２は、インターフェース１３５を介して、当該掲載情報を本登録するようにサーバに要求する（ステップＳ１２１０）。
【００９３】
サーバは、この要求を受信し（ステップＳ１２１１）、当該掲載情報を本登録し（ステップＳ１２１２）、キャッシュレジスタ側インターフェース１２６を介して本登録した旨をキャッシュレジスタ１３１に送信する（ステップＳ１２１３）。
【００９４】
キャッシュレジスタ１３１は、インターフェース１３５を介して本登録した旨を受信すると（ステップＳ１２１４）、広告主となる顧客に対して広告を受け付けた旨のレシートを印刷して（ステップＳ１２１５）、本処理を終了する。
【００９５】
（会計処理）
図１５は、図１に示すＰＯＳシステムにおいて会計情報が入力され、これと広告掲載情報とがレシートに印刷されるまでの処理の流れを示すフローチャートである。
【００９６】
まず、キャッシュレジスタ１３１のＣＰＵ１３２は、広告を受ける顧客の性別、年齢層、職業などの顧客情報の入力を、キーボード１３４から受け付ける（ステップＳ１３０１）。この入力は、キャッシュレジスタ１３１のオペレータ（店員）が行う。
【００９７】
次に、ＣＰＵ１３２は、バーコードリーダ１３３とキーボード１３４により商品の識別情報と商品の個数の情報の入力を受け付け（ステップＳ１３０２）、この識別情報をインターフェース１３５を介してサーバ１２１に送信する（ステップＳ１３０３）。
【００９８】
サーバ１２１は、キャッシュレジスタ側インターフェース１２４を介して商品の識別情報を受信すると（ステップＳ１３０４）、不揮発性記憶装置１２５に記憶された商品データベースからその商品の価格を検索し（ステップＳ１３０５）、この価格情報をキャッシュレジスタ側インターフェース１２４を介してキャッシュレジスタ１３１に送信する（ステップＳ１３０６）。
【００９９】
キャッシュレジスタ１３１は、インターフェース１３５を介して商品の価格情報を受信し（ステップＳ１３０７）、価格情報をディスプレイ１３６に表示する（ステップＳ１３０８）。
【０１００】
さらに、商品の識別情報の入力が終わりか否かを調べる（ステップＳ１３０９）。
たとえばキーボード１３４の「合計」ボタンをオペレータが押圧操作することにより、商品の識別情報の入力が終わることになる。
【０１０１】
入力が終わりでない場合（ステップＳ１３０９：Ｎｏ）、ステップＳ１３０２に戻る。一方、商品の識別情報の入力が終わった場合（ステップＳ１３０９：Ｙｅｓ）、ＣＰＵ１３２は、ステップＳ１３０１において入力された顧客の性別、年齢層、職業などの顧客情報を、インターフェース１３５を介してサーバ１２１に送信する（ステップＳ１３１０）。
【０１０２】
サーバ１２１は、キャッシュレジスタ側インターフェース１２４を介して、顧客の性別、年齢層、職業などの顧客情報を受信し（ステップＳ１３１１）、ＣＰＵ  １２２は、不揮発性記憶装置１２５に本登録された特定条件とこれらの顧客情報を対比して、満たされる特定条件がいずれかを調べる（ステップＳ１３１２）。
【０１０３】
なお、満たされる特定条件が複数ある場合には、乱数や採用された回数などに応じて適宜いずれかの特定条件を１つ選択することができる。
【０１０４】
また、常に成立する特定条件と、これに対応する広告掲載情報として当該コンビニエンスストアの宣伝などをあらかじめ不揮発性記憶装置１２５に記憶しておくことができる。
【０１０５】
ついで、ＣＰＵ１２２は、満たされる特定条件に対応する広告掲載情報を不揮発性記憶装置１２５から取得し（ステップＳ１３１３）、キャッシュレジスタ側インターフェース１２４を介して、この広告掲載情報をキャッシュレジスタ１３１に送信する（ステップＳ１３１４）。
【０１０６】
キャッシュレジスタ１３１は、インターフェース１３５を介して、広告掲載情報を受信する（ステップＳ１３１５）。
【０１０７】
ついで、キャッシュレジスタ１３１のＣＰＵ１３２は、ステップＳ１３０２で受け付けた商品の個数と、ステップＳ１３０７で受信した商品の価格情報と、から、レシートに印刷すべき会計情報を生成する（ステップＳ１３１６）。
【０１０８】
最後に、キャッシュレジスタ１３１は、ステップＳ１３１４において受信された広告掲載情報と、ステップＳ１３１５において生成された会計情報とを合成して印刷データを生成し（ステップＳ１３１７）、プリンタに送信し（ステップＳ１３１８）プリンタ１３９により、レシートとして印刷し（ステップＳ１３１９）、本処理を終了する。印刷のフォーマットとしては、レシートに広告掲載情報用の印刷領域を用意しておき、当該部分に広告掲載情報を嵌め込んで印刷したり、広告掲載情報を印刷した後で会計情報を印刷するなどの合成方法が考えられる。又、複数の広告掲載情報のアイテムが登録されている場合は、特定条件に該当しない顧客に対しては、タイトルのみを印刷したりすることも可能である。
【０１０９】
図１６は、このようにして印刷されたレシートの例を示す説明図である。レシート１４０１には、広告掲載情報印刷領域１４０２と、会計情報印刷領域１４０３とがあり、それぞれの情報が印刷されている。
【０１１０】
なお、上記の処理の手順は実施形態の一例を示したものであり、これを変形したり、順序を変更したりしてこれと同等の処理を実行することができる。たとえば、上記の説明では省略したが、釣銭の計算や、入力した情報の訂正などを適宜行うステップを本処理に追加することができる。
【０１１１】
また、情報入力端末１１１とサーバ１２１とを一体として構成することも可能であるし、サーバ１２１とキャッシュレジスタ１３１とを一体として構成することも可能である。また、サーバ１２１で行う処理をキャッシュレジスタ１３１で行うことも、その逆も可能である。これらの実施形態も本発明の範囲に含まれる。
【０１１２】
また、上記実施例では、課金額を、広告掲載情報と種類と有効期限と登録日との間の日数によって計算していたが、このほかの方法も考えられる。
【０１１３】
たとえば、広告主が情報入力端末１１１で何枚のレシートに広告を印刷するかを入力できるようにしておき、レシート１枚あたりの料金にこの枚数を掛け算することにより課金額を求めることができる。この場合、広告が印刷された回数が入力したレシートの枚数よりも小さい場合に、特定条件が満たされることになる。
【０１１４】
このほか、広告を掲載する期間をさらに詳細に設定できるような実施形態も考えられる。たとえば、「午前１０時から午後２時までの間、今日から２週間」などのような指定である。この場合は、時間帯に応じて、予想される来客数が異なるため、広告料金を変更してもよい。
【０１１５】
また、上記実施例では広告料金は先払いだが、クレジットカードなどを利用した場合には、実際に広告が印刷されたレシートの枚数に応じて後から課金することも可能である。この場合は、キャッシュレジスタからクレジットカードの会員番号を入力することにより、仮登録から本登録への更新が行われることになる。
【０１１６】
また、上記実施例では、２色以上の多色印刷プリンタとして、インクジェットプリンタ１１６を用いたが、サーマルプリンタ、インパクトドットプリンタ、レーザープリンタでも構わない。もし、それらのプリンタが単色しか印刷できないときは、印刷カラーの指定（図１３）は、無視される。
【図面の簡単な説明】
【０１１７】
【図１】本発明が適用されるＰＯＳシステムの一実施形態の概要を示すブロック構成図。
【図２】図１に示すＰＯＳシステムの情報入力端末の構成を示すブロック構成図。
【図３】図１に示すＰＯＳシステムのサーバの構成を示すブロック構成図。
【図４】図１に示すＰＯＳシステムのキャッシュレジスタの構成を示すブロック構成図。
【図５】本発明が適用されるＰＯＳシステムの機能ブロック図。
【図６】図１に示すＰＯＳシステムの情報入力端末で実行される広告掲載情報仮登録処理の流れを示すフローチャート。
【図７】図１に示すＰＯＳシステムの情報入力端末に表示される入力画面のメインメニューの表示例。
【図８】図１に示すＰＯＳシステムの情報入力端末に表示される広告掲載情報の種類の入力メニューの表示例。
【図９】図１に示すＰＯＳシステムの情報入力端末に表示される有効期限の入力メニューの表示例。
【図１０】図１に示すＰＯＳシステムの情報入力端末に表示される特定条件の入力メニューの表示例。
【図１１】図１に示すＰＯＳシステムの情報入力端末に表示される広告掲載情報の入力メニューの表示例。
【図１２】図１に示すＰＯＳシステムの情報入力端末に表示される確認メニューの表示例。
【図１３】図１に示すＰＯＳシステムの情報入力端末に表示される登録確認メニューの表示例。
【図１４】図１に示すＰＯＳシステムのキャッシュレジスタとサーバで実行される課金処理の流れを示すフローチャート。
【図１５】図１に示すＰＯＳシステムのキャッシュレジスタとサーバで実行される会計処理の流れを示すフローチャート。
【図１６】図１に示すＰＯＳシステムにおいて出力されるレシートの印刷例を示す説明図。
【符号の説明】
【０１１８】
１０１    ＰＯＳシステム
１１１    情報入力端末
１１２    ＣＰＵ
１１３    ディスプレイ
１１４    タッチパネル
１１５    スキャナ
１１６    印刷機構
１１８    インターフェース
１２１    サーバ
１２２    ＣＰＵ
１２３    入力端末側インターフェース
１２４    キャッシュレジスタ側インターフェース
１２５    不揮発性記憶装置
１２６    ネットワークインターフェース
１３１    キャッシュレジスタ
１３２    ＣＰＵ
１３３    バーコードリーダ
１３４    キーボード
１３５    インターフェース
１３６    ディスプレイ
１３７    銭箱
１３８    カード読取装置
１３９    印刷機構
６０１    メインメニュー
６０２    広告掲載情報入力ボタン
６０３    チケット予約発行ボタン
６０４    旅行予約発行ボタン
６０５    ＣＤ予約注文ボタン
６０６    ゲーム予約注文ボタン
７０１    種類入力メニュー
７０２    学校行事ボタン
７０３    バザーボタン
７０４    講習会ボタン
７０５    その他ボタン
８０１    有効期限入力メニュー
８０２    年入力部
８０３    月入力部
８０４    日入力部
８０５    カーソル
８０６    テンキー
９０１    特定条件入力メニュー
９０２    性別入力ボタン
９０３    年齢層入力ボタン
９０４    職業入力ボタン
１００１  広告掲載情報入力メニュー
１００２  入力部
１００３  カーソル
１００４  五十音表
１００５  スキャナボタン
１１０１  確認メニュー
１１０２  広告掲載情報の種類
１１０３  有効期限
１１０４  特定条件
１１０５  広告掲載情報
１１０６  確認ボタン
１４０１  レシート
１４０２  広告掲載情報印刷領域
１４０３  会計情報印刷領域
【図１】
2005108252.tif 000003
【図２】
2005108252.tif 000004
【図３】
2005108252.tif 000005
【図４】
2005108252.tif 000006
【図５】
2005108252.tif 000007
【図６】
2005108252.tif 000008
【図７】
2005108252.tif 000009
【図８】
2005108252.tif 000010
【図９】
2005108252.tif 000011
【図１０】
2005108252.tif 000012
【図１１】
2005108252.tif 000013
【図１２】
2005108252.tif 000014
【図１３】
2005108252.tif 000015
【図１４】
2005108252.tif 000016
【図１５】
2005108252.tif 000017
【図１６】
2005108252.tif 000018